(57)【特許請求の範囲】
【請求項１】
扉に設けたハンドルの回動操作により直動ロッドが直動して前記扉を施解錠する錠装置に備えられ、前記ハンドルの回動を前記直動ロッドの直動に変換するためのスライド変換機構において、
前記直動ロッドと一体に直動するスライダと、
前記ハンドルと一体に回動し、前記スライダの直動方向に沿って延びた円弧軌跡上を移動するリンク基端連結部を有した回動入力部材と、
基端部が前記リンク基端連結部に回動可能に連結され、前記スライダに向かって延びた中継リンクと、
前記中継リンクの長手方向の中間部に配置されかつその長手方向に延びた長孔と、
前記ハンドルの回動軸と前記スライダの直動方向とに共に直交した基準線上に固定して設けられ、前記中継リンクの前記長孔内に係合し、前記中継リンクを直動可能かつ回動可能に支持したリンク支持支柱と、
前記スライダに設けられ、そのスライダの直動方向の両方向で前記中継リンクの先端部に当接可能なリンク先端当接部とを備え、
前記リンク支持支柱の中心軸と前記リンク基端連結部の中心軸との間の第１軸間距離を、前記ハンドルの回動軸と前記リンク基端連結部の中心軸との間の第２軸間距離より短くしたことを特徴とする錠装置のスライド変換機構。
【請求項２】
前記回動入力部材の回動により前記リンク基端連結部の中心軸が前記基準線上に位置した際に、前記リンク基端連結部の中心軸と前記ハンドルの回動軸との間に前記リンク支持支柱の中心軸が配置されるようにしたことを特徴とする請求項１に記載の錠装置のスライド変換機構。
【請求項３】
前記錠装置は、前記直動ロッドが上下方向に直動するグレモン錠であることを特徴とする請求項２に記載の錠装置のスライド変換機構。
【請求項４】
前記リンク先端当接部は、前記中継リンクの先端部を間に挟んで前記スライダの直動方向で対向した１対の当接対向壁で構成され、それら当接対向壁の対向部分には、前記スライダの直動方向と直交した平坦面が備えられ、
前記中継リンクの先端部には、前記中継リンクが可動範囲の両端部に位置したときに前記両当接対向壁の前記平坦面と平行になる１対の先端平面が備えられたことを特徴とする請求項１乃至３の何れかに記載の錠装置のスライド変換機構。
【発明の詳細な説明】
【技術分野】
【０００１】
本発明は、ハンドルの回動を直動ロッドの直動に変換するための錠装置のスライド変換機構に関する。
【背景技術】
【０００２】
従来の種のスライド変換機構の一例として図１２に示したグレモン錠のスライド変換機構は、直動ロッド１と一体に直動するスライダ１Ａと、ハンドル２と一体に回動する回動リンク２Ａとを有し、回動リンク２Ａの先端部がスライダ１Ａの凹部１Ｂに係合した構成になっていた（例えば、特許文献１参照）。
【特許文献１】特開平１０−１０２８５１号公報（段落［０００２］，［０００３］，［００２０］，第５図）
【発明の開示】
【発明が解決しようとする課題】
【０００３】
しかしながら、上記した従来のスライド変換機構では、スライダ１Ａのストローク量はハンドル２の操作角度と回動リンク２Ａの回動半径とから決まるので、錠装置を小型化しかつ直動ロッドの十分なストローク量を確保するためには、ハンドル２の操作角度を大きくする必要があった。しかしながら、ハンドル２の操作角度を大きくすると操作が困難になると共に見栄えが悪くなる。
【０００４】
本発明は、上記事情に鑑みてなされたもので、従来よりハンドルの操作角度を大きくすることなく、錠装置を小型化可能な錠装置のスライド変換機構の提供を目的とする。
【課題を解決するための手段】
【０００５】
上記目的を達成するためになされた請求項１の発明に係る錠装置のスライド変換機構は、扉に設けたハンドルの回動操作により直動ロッドが直動して扉を施解錠する錠装置に備えられ、ハンドルの回動を直動ロッドの直動に変換するためのスライド変換機構において、直動ロッドと一体に直動するスライダと、ハンドルと一体に回動し、スライダの直動方向に沿って延びた円弧軌跡上を移動するリンク基端連結部を有した回動入力部材と、基端部がリンク基端連結部に回動可能に連結され、スライダに向かって延びた中継リンクと、中継リンクの長手方向の中間部に配置されかつその長手方向に延びた長孔と、ハンドルの回動軸とスライダの直動方向とに共に直交した基準線上に固定して設けられ、中継リンクの長孔内に係合し、中継リンクを直動可能かつ回動可能に支持したリンク支持支柱と、スライダに設けられ、そのスライダの直動方向の両方向で中継リンクの先端部に当接可能なリンク先端当接部とを備え、リンク支持支柱の中心軸とリンク基端連結部の中心軸との間の第１軸間距離を、ハンドルの回動軸とリンク基端連結部の中心軸との間の第２軸間距離より短くしたところに特徴を有する。
【０００６】
請求項２の発明は、請求項１に記載の錠装置のスライド変換機構において、回動入力部材の回動によりリンク基端連結部の中心軸が基準線上に位置した際に、リンク基端連結部の中心軸とハンドルの回動軸との間にリンク支持支柱の中心軸が配置されるようにしたところに特徴を有する。
【０００７】
請求項３の発明は、請求項２に記載の錠装置のスライド変換機構において、錠装置は、直動ロッドが上下方向に直動するグレモン錠であるところに特徴を有する。
【０００８】
請求項４の発明は、請求項１乃至３の何れかに記載の錠装置のスライド変換機構において、リンク先端当接部は、中継リンクの先端部を間に挟んでスライダの直動方向で対向した１対の当接対向壁で構成され、それら当接対向壁の対向部分には、スライダの直動方向と直交した平坦面が備えられ、中継リンクの先端部には、中継リンクが可動範囲の両端部に位置したときに両当接対向壁の平坦面と平行になる１対の先端平面が備えられたところに特徴を有する。
【発明の効果】
【０００９】
［請求項１の発明］
請求項１の構成によれば、ハンドルを回動操作すると、ハンドルと一体に回動入力部材が回動して、その回動入力部材に備えたリンク基端連結部がスライダの直動方向に沿った円弧軌跡上を移動する。すると、リンク基端連結部に連結された中継リンクが長孔とリンク支持支柱の係合により直動しながら、リンク支持支柱を支点にして回動する。そして、中継リンクの先端部がスライダのリンク先端当接部を押圧して、スライダ及び直動ロッドを直動させる。このようにして、ハンドルの回動が直動ロッドの直動に変換される。ここで、本発明では、リンク支持支柱の中心軸とリンク基端連結部の中心軸との間の第１軸間距離を、ハンドルの回動軸とリンク基端連結部の中心軸との間の第２軸間距離より短くしたので、リンク支持支柱の中心軸とリンク基端連結部の中心軸との間を結ぶ第１軸間直線と基準線とがなす第１角度が、ハンドルの回動軸とリンク基端連結部の中心軸との間の第２軸間直線と基準線とがなす第２角度より大きくなる。このように、本発明に係る錠装置のスライド変換機構によれば、ハンドルの操作角度が中継リンクで増幅されるので、従来よりハンドルの操作角度を大きくすることなく、錠装置を小型化することができる。
【００１０】
［請求項２及び３の発明］
回動入力部材の回動によりリンク基端連結部の中心軸が基準線上に位置した際に、ハンドルの回動軸とリンク支持支柱の中心軸との間にリンク基端連結部の中心軸が配置されるように構成してもよいし、請求項２の発明のように、リンク基端連結部の中心軸とハンドルの回動軸との間にリンク支持支柱の中心軸が配置されるように構成してもよい。請求項２の構成によれば、回動入力部材と中継リンクとがリンク基端連結部で折り返されるように重なり、コンパクト化が図られる。また、請求項２の構成を、直動ロッドが上下方向に直動するグレモン錠に備えることで、そのグレモン錠を小型化することができる（請求項３の発明）。
【００１１】
［請求項４の発明］
請求項４の構成によれば、中継リンクが可動範囲の両端部に位置すると、中継リンクの先端部に備えた先端平面が、スライダに備えた当接対向壁の平坦面と平行になって面当接し、スライダを安定させることができる。
【発明を実施するための最良の形態】
【００１２】
以下、本発明の一実施形態を図１〜図９に基づいて説明する。図１に示したガラス扉１０（本発明に係る「扉」に相当する）は、ガラス板１１を扉構成枠１２に嵌め込んでなり、その扉構成枠１２の一方の側辺が扉支持枠１３にヒンジ１４にて連結され、扉構成枠１２の他方の側辺にグレモン錠２０を備えている。
【００１３】
図２には、扉構成枠１２のうちグレモン錠２０を備えた部位の断面が示されている。同図に示すように、扉構成枠１２は角筒構造をなし、その扉構成枠１２の室外面から扉支持枠１３に向けて室外突壁１２Ｃが延設されている。これに対し、扉支持枠１３の室内面からは扉構成枠１２に向けて室内突壁１３Ａが延設されている。そして、ガラス扉１０を閉じると、室外突壁１２Ｃが扉支持枠１３の室外面に隣接又は当接し、室内突壁１３Ａが扉構成枠１２の室内面に隣接又は当接する。また、扉構成枠１２のうち扉支持枠１３側を向いた端面には、室内寄り位置に直動ロッド１６を収容するためのロッド収容溝１２Ｂが形成されている。
【００１４】
図３に示すように、グレモン錠２０は、ハンドル支持ユニット１８とスライド変換機構ユニット３０とを組み付けてなる。そして、図２に示すように、扉構成枠１２の角筒部分のうち室内に面した室内壁１２Ａの表側にハンドル支持ユニット１８が取り付けられ、裏側にスライド変換機構ユニット３０が取り付けられている。ハンドル支持ユニット１８は、上下方向に延びた直方体形状をなし（図３参照）、室内突壁１３Ａとの干渉を回避するために、室内壁１２Ａのうち扉支持枠１３から離れた側に配置して取り付けられている（図２参照）。なお、図４〜図８においては、ハンドル支持ユニット１８は省略されている。
【００１５】
ハンドル支持ユニット１８のうち上下方向の中央には、ハンドル１７が回動可能に軸支されている。図４に示すように、ハンドル１７は、全体として断面四角形の部材をＬ字形に屈曲させた構造をなし、ハンドル１７の一端部には、ハンドル支持ユニット１８の外面と平行な四角形の方形端面１７Ａが備えられている。その方形端面１７Ａのうち扉支持枠１３寄りの一角部からエンボス１７Ｂが突出し、そのエンボス１７Ｂの先端から角柱シャフト１７Ｓが突出している。また、エンボス１７Ｂの外周面からは、回動規制突部１７Ｃが突出している。さらに、角柱シャフト１７Ｓの中間部分には、Ｅリング溝１７Ｍが形成されている。そして、ハンドル支持ユニット１８（図３参照）に備えた貫通孔（図示せず）にエンボス１７Ｂ及び角柱シャフト１７Ｓを挿入し、ハンドル支持ユニット１８の裏面側に突き出した角柱シャフト１７ＳのＥリング溝１７ＭにＥリング１８Ｅ（図３参照）を係止することで、ハンドル支持ユニット１８にハンドル１７が抜け止めされて、回動可能に軸支されている。
【００１６】
また、ハンドル支持ユニット１８内には、回動規制突部１７Ｃと当接可能な図示しない１対のストッパが備えられ、これにより、ハンドル１７が、鉛直下方に垂下した施錠位置（図５参照）と、水平方向に延びた解錠位置（図８参照）との間の略９０度の可動ストローク内でのみ回動するように規制されている。また、ハンドル支持ユニット１８の上端部には、操作摘１８Ａが上下動可能に備えられている。この操作摘１８Ａを可動ストロークの一端側に位置させると、ハンドル１７が回動可能になり、操作摘１８Ａを可動ストロークの他端側に位置させると、ハンドル１７が施錠位置に固定される。
【００１７】
ハンドル支持ユニット１８の上下の両端部には、ボルトを挿通可能な１対の螺子挿通孔（図示せず）が貫通形成されている。これに対応して、扉構成枠１２の室内壁１２Ａには、１対の螺子挿通孔（図示せず）が貫通形成され、さらにそれら１対の螺子挿通孔の間に角柱シャフト１７Ｓを挿通可能な軸挿通孔（図示せず）が貫通形成されている。また、図３に示すように、次に詳説するスライド変換機構ユニット３０には、上記した１対の螺子挿通孔に対応して、１対の雌螺子孔３１Ｄ，３１Ｄが形成されている。なお、ハンドル支持ユニット１８のうち上下の両端部には、軸挿通孔及びそこに通したボルトを覆い隠すためのカバー１８Ｃ，１８Ｃが備えられている。
【００１８】
スライド変換機構ユニット３０は、本発明に係る「錠装置のスライド変換機構」をユニット化したものであって、図３に示すように、固定ベース３０Ａに複数の可動部品を組み付けてなる。以下、スライド変換機構ユニット３０において、扉支持枠１３に近い側（図２の左側）を前側と言い、扉支持枠１３から離れた側（図２の右側）を後側ということとする。
【００１９】
固定ベース３０Ａは、ベースプレート３１とベース筐体３２とを組み付けてなる。図４に示すように、ベースプレート３１は、縦長の帯板構造をなし、両端部に円筒突部３１Ｃ，３１Ｃを備えている。また、ベースプレート３１には、上下方向に沿って案内溝３１Ａが形成され、その案内溝３１Ａの両端部の近傍には、前記した雌螺子孔３１Ｄ，３１Ｄが形成されている。さらに、ベースプレート３１の上下方向における中間部の後ろ寄り位置には、角柱シャフト１７Ｓを挿通するための挿通窓３１Ｂが形成されている。
【００２０】
一方、ベース筐体３２は、ベースプレート３１に対向した縦長の主板壁３２Ａを備えている。また、主板壁３２Ａの上下の両端部をベースプレート３１に向けてクランク形状に屈曲させることで、主板壁３２Ａの両端部からベースプレート３１に向かって起立した１対の端部壁３２Ｂ，３２Ｂと、それら端部壁３２Ｂ，３２Ｂの先端から上方と下方とに起立した１対の当接片３２Ｃ，３２Ｃとを備えている。そして、この当接片３２Ｃ，３２Ｃに形成した丸孔３２Ｗ，３２Ｗに円筒突部３１Ｃ，３１Ｃを挿入して拡開変形させることでベースプレート３１とベース筐体３２とが固定されている。また、端部壁３２Ｂ，３２Ｂの前側縁部からは、上方と下方とに向けて当接位置決片３２Ｄ，３２Ｄが直角曲げされている。そして、扉構成枠１２のうち前記したロッド収容溝１２Ｂの奥面に形成された図示しないユニット挿入孔に前側からスライド変換機構ユニット３０を挿入し、そのユニット挿入孔の上下の縁部に前側から当接位置決片３２Ｄ，３２Ｄを当接させた状態に保持して、ハンドル支持ユニット１８及びスライド変換機構ユニット３０に通したボルトを雌螺子孔３１Ｄ，３１Ｄに締め付けることで、グレモン錠２０がガラス扉１０に固定されている。
【００２１】
主板壁３２Ａのうちベースプレート３１の案内溝３１Ａとの対向部分には、１対の案内溝３２Ｘ，３２Ｘが上下方向に並べて形成されている。また、主板壁３２Ａの上下方向における中間部分には、案内溝３２Ｘより後側に支柱支持孔３２Ｙが形成されている。なお、主板壁３２Ａのうち後側の縁部からは、ベースプレート３１に向けて１対の後面壁３２Ｅ，３２Ｅが直角曲げされ、これら後面壁３２Ｅ，３２Ｅが主板壁３２Ａを補強している。
【００２２】
図３に示すように、ベースプレート３１とベース筐体３２との間には、スライダ３３が直動可能に収容されている。図４に示すように、スライダ３３は、全体として縦長の直方体形状をなし、スライダ３３のうちベースプレート３１側における１対の後側角部には、係合突部３３Ａ，３３Ａが設けられている。これら係合突部３３Ａ，３３Ａは、スライダ３３のうちベースプレート３１側の側面と後面とから突出した角形突部であって、ベースプレート３１における案内溝３１Ａ内に係合している。同様に、スライダ３３のうちベース筐体３２側における１対の後側角部には、係合突部３３Ｂ，３３Ｂが設けられ、これら係合突部３３Ｂ，３３Ｂは、ベース筐体３２の各案内溝３２Ｘ，３２Ｘに係合している。これにより、スライダ３３が上下方向に直動可能に保持されている。
【００２３】
スライダ３３の前面には、１対のロッド固定ピン３３Ｐ，３３Ｐが着脱可能に取り付けられている。また、これらロッド固定ピン３３Ｐ，３３Ｐは、図２に示すように、ロッド収容溝１２Ｂの奥面から突出している。そして、ロッド収容溝１２Ｂ内に設けた直動ロッド１６の下端部に、これらロッド固定ピン３３Ｐ，３３Ｐが貫通して、直動ロッド１６とスライダ３３とが一体になっている。この直動ロッド１６はスライダ３３から上方に延び、スライダ３３と共に上下動する。また、扉構成枠１２のうちグレモン錠２０を取り付けた部分より上方には、図示しないスリットが形成され、このスリットに扉支持枠１３に備えた係止片１５（図１参照）が進退するようになっている。そして、その係止片１５を上下方向に貫通した係止孔に直動ロッド１６が進退することにより、ガラス扉１０をロックした状態と、そのロックを解除した状態とに切り替えることができる。
【００２４】
図５に示すように、スライダ３３のうち上下方向の中央には、リンク受容孔３３Ｃが前後方向に貫通している。そして、スライダ３３のうちリンク受容孔３３Ｃを挟んで上下方向で対向した部分が、本発明に係る当接対向壁３３Ｘ，３３Ｘになっている。
【００２５】
図４に示すように、ベース筐体３２の支柱支持孔３２Ｙには、リンク支持支柱３４が取り付けられている。リンク支持支柱３４は円柱形状をなし、その軸方向の中間部から側方にフランジ３４Ｆが張り出している。そして、リンク支持支柱３４の一端部が支柱支持孔３２Ｙ内に圧入されて、他端部がベースプレート３１側に向かって突出している。
【００２６】
固定ベース３０Ａ（図３参照）内に突入したハンドル１７の角柱シャフト１７Ｓには、回動入力部材３５が取り付けられている。図４に示すように、回動入力部材３５は、円柱部３５Ａの中心に角孔３５Ｄを貫通形成して備えると共に、円柱部３５Ａの外周面から回動片３５Ｂを張り出した構造になっている。また、回動片３５Ｂからは、ベース筐体３２の主板壁３２Ａに向けてリンク基端連結ピン３５Ｃ（本発明の「リンク基端連結部」に相当する）が突出している。そして、角孔３５Ｄに角柱シャフト１７Ｓが嵌合しており、ハンドル１７を回動すると、リンク基端連結ピン３５Ｃが、スライダ３３の直動方向（即ち、上下方向）に沿った円弧軌跡Ｅ１（図９（Ａ）参照）上を移動する。
【００２７】
図５に示すように、リンク基端連結ピン３５Ｃは、中継リンク３６の基端部に備えたピン孔３６Ａに挿入されている。中継リンク３６は、回動片３５Ｂから前方に向かって延びている。また、中継リンク３６における長手方向の中間部には、長孔３６Ｂが形成され、この長孔３６Ｂにリンク支持支柱３４が係合している。そして、中継リンク３６の先端部３６Ｄがスライダ３３におけるリンク受容孔３３Ｃ内に受容されている。これにより、ハンドル１７の操作により回動入力部材３５を回動すると、これに連動して中継リンク３６が回動する。
【００２８】
図５に示した符号Ｋ１は、ハンドル１７の回動軸Ｊ１とスライダ３３の直動方向とに共に直交した基準線である。ここで、リンク支持支柱３４の中心軸Ｊ３は、基準線Ｋ１上において、ハンドル１７の回動軸Ｊ１よりスライダ３３から離れた位置に配置されている。そして、図９（Ｂ）に示すようにリンク支持支柱３４の中心軸Ｊ３が基準線Ｋ１上に位置した際に、リンク支持支柱３４の中心軸Ｊ３が、ハンドル１７の回動軸Ｊ１（図９における回動入力部材３５の回動軸と同じ）と、リンク基端連結ピン３５Ｃの中心軸Ｊ２との間に配置されるように構成されている。そして、図９（Ａ）及び図９（Ｃ）に強調して示したように、リンク支持支柱３４の中心軸Ｊ３とリンク基端連結ピン３５Ｃの中心軸Ｊ２との間の第１軸間距離（図９（Ａ）及び図９（Ｃ）のＬ１の長さ）が、ハンドル１７の回動軸Ｊ１とリンク基端連結ピン３５Ｃの中心軸Ｊ２との間の第２軸間距離（図９（Ａ）及び図９（Ｃ）のＬ２の長さ）より短くなっている。これにより、リンク支持支柱３４の中心軸Ｊ３とリンク基端連結ピン３５Ｃの中心軸Ｊ２との間を結ぶ第１軸間直線Ｌ１と基準線Ｋ１とがなす第１角度θ１は、ハンドル１７の回動軸Ｊ１とリンク基端連結ピン３５Ｃの中心軸Ｊ２との間の第２軸間直線Ｌ２と基準線Ｋ１とがなす第２角度θ２より大きくなる。即ち、図９（Ａ）〜図９（Ｃ）に示した動作のように、ハンドル１７の操作角度が中継リンク３６で増幅される。なお、回動入力部材３５及び中継リンク３６の回動領域は、基準線Ｋ１に対して対称になっている。
【００２９】
中継リンク３６は、長孔３６Ｂに対して基端側（ピン孔３６Ａ側）より先端側が長くなっている。そして、先端寄り位置に幅狭のネック部３６Ｃを備えている。また、中継リンク３６の先端部３６Ｄには、図５に示すように、中継リンク３６が可動範囲の上端部に位置したときに上側の当接対向壁３３Ｘの平坦面３３Ｙと平行になる先端平面３６Ｘと、図８に示すように中継リンク３６が可動範囲の下端部に位置したときに下側の当接対向壁３３Ｘの平坦面３３Ｙと平行になる先端平面３６Ｘとが対称に配置して備えられている。さらに、先端部３６Ｄの側面には、各先端平面３６Ｘ、３６Ｘの後端部に連続した円弧面３６Ｙ，３６Ｙが備えられている。
【００３０】
本実施形態の構成に関する説明は以上である。次に、上記構成からなる本実施形態の動作を説明する。ガラス扉１０を閉じて図５に示すようにハンドル１７を施錠位置にすると、直動ロッド１６が扉支持枠１３の係止片１５（図１参照）に係合して、ガラス扉１０が閉じた状態にロックされる。このとき、中継リンク３６の一方の先端平面３６Ｘが、スライダ３３における上側の当接対向壁３３Ｘの平坦面３３Ｙに面当接して、直動ロッド１６が位置決めされる。
【００３１】
この状態からハンドル１７を図５の時計回り方向に回動させると、図６から図７の変化に示すように、中継リンク３６の他方の先端平面３６Ｘが、スライダ３３における下側の当接対向壁３３Ｘの平坦面３３Ｙに摺接しながら中継リンク３６がスライダ３３を押し下げ、回動入力部材３５と中継リンク３６とが共に水平方向に延びた状態（図７参照）を経て、図８に示すようにハンドル１７が水平方向を向いた解錠位置に至る。この状態になると、直動ロッド１６と扉支持枠１３の係止片１５との係合が解除され、ガラス扉１０を開くことが可能になる。また、このとき、中継リンク３６の他方の先端平面３６Ｘが、スライダ３３における下側の当接対向壁３３Ｘの平坦面３３Ｙに面当接して、直動ロッド１６が位置決めされる。そして、ハンドル１７を解錠位置から施錠位置に回動した場合は、上記動作に逆行した動作になる。このようにして、ハンドル１７の回動がスライダ３３の直動に変換される。
【００３２】
ここで、本実施形態のスライド変換機構ユニット３０では、上述の如く、リンク支持支柱３４の中心軸Ｊ３とリンク基端連結ピン３５Ｃの中心軸Ｊ２との間の第１軸間距離を、ハンドル１７の回動軸Ｊ１とリンク基端連結ピン３５Ｃの中心軸Ｊ２との間の第２軸間距離より短くしたことにより、ハンドル１７の操作角度が中継リンク３６で増幅される。これにより、従来よりハンドル１７の操作角度を大きくすることなく、グレモン錠２０を小型化することができる。また、リンク基端連結ピン３５Ｃの中心軸Ｊ２とハンドル１７の回動軸Ｊ１との間にリンク支持支柱３４の中心軸Ｊ３が配置されるように構成したことで、回動入力部材３５と中継リンク３６とがリンク基端連結ピン３５Ｃで折り返されるように重なり、コンパクト化が図られる。しかも、中継リンク３６が可動範囲の両端部に位置すると、中継リンク３６の先端部に備えた先端平面３６Ｘ，３６Ｘが、スライダ３３に備えた当接対向壁３３Ｘの平坦面３３Ｙと面当接するので、スライダ３３を施錠位置と解錠位置とに安定させることができる。
【００３３】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００３４】
（１）前記実施形態では、リンク支持支柱３４の中心軸Ｊ３が、ハンドル１７の回動軸Ｊ１とリンク基端連結ピン３５Ｃの中心軸Ｊ２との間に配置されていたが（図５参照）、図１０に示すように、リンク支持支柱３４の中心軸Ｊ３とハンドル１７の回動軸Ｊ１との間にリンク基端連結ピン３５Ｃの中心軸Ｊ２を配置した構成にしてもよい。
【００３５】
（２）前記実施形態では、スライダ３３に備えた当接対向壁３３Ｘ，３３Ｘによって中継リンク３６の先端部３６Ｄを上下方向から挟んでいたが、図１１に示すように中継リンク３６の先端部に長孔３６Ｅを設け、スライダ３３に固定したピン３３Ｄをこの長孔３６Ｅに係合してもよい。
【００３６】
（３）前記実施形態では、本発明に係るスライド変換機構を備えたグレモン錠２０を例示したが、本発明に係るスライド変換機構は、ハンドルの回動操作により直動ロッドが直動して施解錠が行われる錠装置であれば、グレモン錠以外の錠装置に設けてもてもよい。
【００３７】
（４）前記実施形態では、本発明に係るスライド変換機構を備えた錠装置は、回動式のガラス扉１０に限定されるものではなく、ガラスを有しない扉、水平方向又は上下方向にスライドする扉に取り付けてもよい。
【図面の簡単な説明】
【００３８】
【図１】本発明の第１実施形態に係るグレモン錠を備えたガラス扉の正面図
【図２】ガラス扉における枠部の断面図
【図３】本発明の錠装置のスライド変換機構を備えたグレモン錠の斜視図
【図４】そのグレモン錠の分解斜視図
【図５】施錠状態のグレモン錠の側断面図
【図６】施錠状態からハンドルを回動した際のグレモン錠の側断面図
【図７】施錠状態からハンドルを回動した際のグレモン錠の側断面図
【図８】解錠状態のグレモン錠の側断面図
【図９】中継リンクと回動入力部材の側面図
【図１０】変形例（１）の中継リンクと回動入力部材の側面図
【図１１】変形例（２）の中継リンクと回動入力部材の側面図
【図１２】従来のグレモン錠の側面図
【符号の説明】
【００３９】
１０    ガラス扉
１２    枠部
１３    扉支持枠
１６    直動ロッド
１７    ハンドル
２０    グレモン錠
３０    スライド変換機構ユニット
３３    スライダ
３３Ｘ    当接対向壁
３３Ｙ    平坦面
３４    リンク支持支柱
３５      回動入力部材
３５Ｃ    リンク基端連結ピン
３５Ｄ    角孔
３６    中継リンク
３６Ａ    ピン孔
３６Ｂ    長孔
３６Ｄ    先端部
３６Ｘ    先端平面
【図１】
0004812052.tif 000002
【図２】
0004812052.tif 000003
【図３】
0004812052.tif 000004
【図４】
0004812052.tif 000005
【図５】
0004812052.tif 000006
【図６】
0004812052.tif 000007
【図７】
0004812052.tif 000008
【図８】
0004812052.tif 000009
【図９】
0004812052.tif 000010
【図１０】
0004812052.tif 000011
【図１１】
0004812052.tif 000012
【図１２】
0004812052.tif 000013